(57)【特許請求の範囲】
【請求項１】
複数の電線と、
主面上に前記複数の電線が並列状態で配設される支持板部を含む電線保護部材と、
を備え、
前記支持板部が部分的に切り起されることで、前記複数の電線を前記支持板部の幅方向において仕切る仕切部が形成されると共に、前記支持板部に前記仕切部の切抜き跡が形成された状態とされ、
前記複数の電線を、前記支持板部の幅方向において前記仕切部で仕切った状態で前記支持板部の一方の主面に押し付け、かつ、前記支持板部の幅方向中央に寄せる力を作用させた状態で、前記支持板部と共に結束する結束部材をさらに備える、電線モジュール。
【請求項２】
請求項１に記載の電線モジュールであって、
前記仕切部は、前記支持板部の幅方向において複数箇所に設けられている、電線モジュール。
【請求項３】
複数の電線と、
主面上に前記複数の電線が配設される支持板部を含む電線保護部材と、
を備え、
前記支持板部が部分的に切り起されることで、前記複数の電線を前記支持板部の幅方向において仕切る仕切部が形成されている、電線モジュールであって、
前記仕切部は、前記支持板部の幅方向において互いに反対側から切り起され、互いに起立した状態で互いに起立状態を支える方向に当接し合う第１仕切部及び第２仕切部を含む、電線モジュール。
【請求項４】
請求項３に記載の電線モジュールであって、
前記第１仕切部及び前記第２仕切部は、それぞれの基端部よりもそれぞれの先端部で幅広となる形状に形成され、前記第１仕切部及び前記第２仕切部が互いに起立した状態で、それぞれの先端部の幅広となる部分同士が当接し合っている、電線モジュール。
【請求項５】
複数の電線と、
主面上に前記複数の電線が並列状態で配設される支持板部を含む電線保護部材と、
を備え、
前記支持板部が部分的に切り起されることで、前記複数の電線を前記支持板部の幅方向において仕切る仕切部が形成され、
前記複数の電線を、前記支持板部の幅方向において前記仕切部で仕切った状態で前記支持板部の一方の主面に押し付け、かつ、前記支持板部の幅方向中央に寄せる力を作用させた状態で、前記支持板部と共に結束する結束部材をさらに備え、
電線保護部材は、複数の板状部分と前記複数の板状部分の間に配設されて前記複数の板状部分の間に中空空間を形成する介在部分とを含む中空板材によって形成されている、電線モジュール。
【請求項６】
主面上に複数の電線を配設可能な支持板部を備え、
前記支持板部が部分的に切り起されることで、前記複数の電線を前記支持板部の幅方向において仕切る仕切部が形成され、
前記仕切部は、前記支持板部の幅方向において互いに反対側から切り起され、互いに起立した状態で互いに起立状態を支える方向に当接し合う第１仕切部及び第２仕切部を含む、電線保護部材。
【発明の詳細な説明】
【技術分野】
【０００１】
この発明は、電線を保護するための技術に関する。
【背景技術】
【０００２】
特許文献１は、電線束と、この電線束を直線状に支持する電線支持部材と、該電線支持部材を配索経路に固定する固定手段とを備えるワイヤハーネスを開示している。電線支持部材としては、プラスチック段ボールシートを使用することが開示されている。
【先行技術文献】
【特許文献】
【０００３】
【特許文献１】特開２０１４−１１７０９９号公報
【発明の概要】
【発明が解決しようとする課題】
【０００４】
しかしながら、電線支持部材の主面上で複数の電線を支持する場合、複数の電線は、電線支持部材の幅方向中央部で盛上がり易いという問題がある。
【０００５】
そこで、本発明は、電線保護部材の支持板部上で、複数の電線をなるべく偏平な状態で支持できるようにすることを目的とする。
【課題を解決するための手段】
【０００６】
上記課題を解決するため、第１の態様に係る電線モジュールは、複数の電線と、主面上に前記複数の電線が並列状態で配設される支持板部を含む電線保護部材とを備え、前記支持板部が部分的に切り起されることで、前記複数の電線を前記支持板部の幅方向において仕切る仕切部が形成されると共に、前記支持板部に前記仕切部の切抜き跡が形成された状態とされ、前記複数の電線を、前記支持板部の幅方向において前記仕切部で仕切った状態で前記支持板部の一方の主面に押し付け、かつ、前記支持板部の幅方向中央に寄せる力を作用させた状態で、前記支持板部と共に結束する結束部材をさらに備えるものである。
【０００７】
第２の態様は、第１の態様に係る電線モジュールであって、前記仕切部は、前記支持板部の幅方向において複数箇所に設けられているものである。
【０００８】
第３の態様は、複数の電線と、主面上に前記複数の電線が配設される支持板部を含む電線保護部材と、を備え、前記支持板部が部分的に切り起されることで、前記複数の電線を前記支持板部の幅方向において仕切る仕切部が形成されている、電線モジュールであって、前記仕切部は、前記支持板部の幅方向において互いに反対側から切り起され、互いに起立した状態で互いに起立状態を支える方向に当接し合う第１仕切部及び第２仕切部を含むものである。
【０００９】
第４の態様は、第３の態様に係る電線モジュールであって、前記第１仕切部及び前記第２仕切部は、それぞれの基端部よりもそれぞれの先端部で幅広となる形状に形成され、前記第１仕切部及び前記第２仕切部が互いに起立した状態で、それぞれの先端部の幅広となる部分同士が当接し合っているものである。
【００１０】
第５の態様は、複数の電線と、主面上に前記複数の電線が並列状態で配設される支持板部を含む電線保護部材と、を備え、前記支持板部が部分的に切り起されることで、前記複数の電線を前記支持板部の幅方向において仕切る仕切部が形成され、前記複数の電線を、前記支持板部の幅方向において前記仕切部で仕切った状態で前記支持板部の一方の主面に押し付け、かつ、前記支持板部の幅方向中央に寄せる力を作用させた状態で、前記支持板部と共に結束する結束部材をさらに備え、前記保護シートは、複数の板状部分と前記複数の板状部分の間に配設されて前記複数の板状部分の間に中空空間を形成する介在部分とを含む中空板材によって形成されているものである。
【００１１】
第６の態様に係る電線保護部材は、主面上に複数の電線を配設可能な支持板部を備え、前記支持板部が部分的に切り起されることで、前記複数の電線を前記支持板部の幅方向において仕切る仕切部が形成され、前記仕切部は、前記支持板部の幅方向において互いに反対側から切り起され、互いに起立した状態で互いに起立状態を支える方向に当接し合う第１仕切部及び第２仕切部を含むものである。
【発明の効果】
【００１２】
第１〜第６の態様によると、仕切部によって前記複数の電線を支持板部の幅方向において仕切った状態で、支持板部上で複数の電線を支持することができる。複数の電線は、仕切部によって支持板部の幅方向において一定位置に位置規制されるため、複数の電線を支持板部上でなるべく偏平な状態で支持できる。
【００１３】
第２の態様によると、複数の電線は、支持板部の幅方向において複数箇所でその支持板部の幅方向において一定位置に位置規制されるため、複数の電線を支持板部上でより偏平な状態で支持できる。
【００１４】
第３及び第６の態様によると、仕切部は、支持板部の幅方向において互いに反対側から切り起され、互いに起立した状態で互いに起立状態を支える方向に当接し合う第１仕切部及び第２仕切部を含むため、切り起された第１仕切部及び第２仕切部が支持板部に対して起立した状態に維持される。このため、仕切部で仕切りつつ、複数の電線を容易に支持板部上に容易に配設できる。
【００１５】
第４の態様によると、第１仕切部及び第２仕切部が互いに起立した状態で、それぞれの先端部の幅広となる部分同士が当接し合っているため、第１仕切部及び第２仕切部の支持強度を高めつつ、第１仕切部及び第２仕切部とが当接し合うことができる。
【００１６】
第５の態様によると、軽量かつ強度的にも優れた電線保護部材を得ることができる。
【図面の簡単な説明】
【００１７】
【図１】実施形態に係る電線モジュールを示す概略斜視図である。
【図２】電線保護部材を示す斜視図である。
【図３】電線保護部材を展開した状態を示す斜視図である。
【図４】図３の部分拡大図である。
【図５】電線保護部材が複数の電線を仕切っている状態を示す概略断面図である。
【図６】中空板材の例を示す一部切欠斜視図である。
【発明を実施するための形態】
【００１８】
以下、実施形態に係る電線モジュール及び電線保護部材について説明する。
【００１９】
図１は電線モジュール２０を示す概略斜視図であり、図２は電線保護部材３０を示す斜視図であり、図３は電線保護部材３０を展開した状態を示す斜視図であり、図４は図３の部分拡大図であり、図５は電線保護部材３０が複数の電線１２を仕切っている状態を示す概略断面図である。なお、図５では、電線保護部材３０を構成する板材の構造に係わらず、断面図の切断箇所として表れる領域に斜線を付しており、また、仕切られた電線１２の群の概形を２点鎖線で図示している。
【００２０】
電線モジュール２０は、複数の電線１２と、電線保護部材３０とを備える。
【００２１】
電線１２は、芯線の周囲に絶縁被覆が形成されたものである。複数の電線１２に沿って光ファイバーケーブル等が配設されていてもよい。この電線１２は、車両等において、各種電気部品同士を電気的に接続する配線材として用いられる。
【００２２】
電線保護部材３０は、折曲げ可能な板状部材によって形成されており、主面上に複数の電線１２が配設される支持板部３２を含む。
【００２３】
ここでは、電線保護部材３０は、支持板部３２と、側壁部３４と、電線止め片３６、３７とを備える。
【００２４】
支持板部３２は、細長板状に形成されており、その延在方向に沿って複数の電線１２が配設される。
【００２５】
側壁部３４は、細長板状に形成されており、支持板部３２に対して直線状の折曲げ線３４Ｌを介して連設されている。側壁部３４は、支持板部３２に対して垂直姿勢で当該支持板部３２の一方の主面側（ここでは上側）に突出している。
【００２６】
電線止め片３６は、支持板部３２の一側部に形成されている。より具体的には、支持板部３２の一側部及び側壁部３４の延在方向の一部において、その延在方向に対して直交しかつ側壁部３４から支持板部３２の一側部に至る一対の切込みを形成し、当該一対の切込みを形成した箇所を、支持板部３２の他方の主面側（ここでは下側）に曲げ起すことで、電線止め片３６が形成されている。電線止め片３６の先端部は、その中間部よりも幅広に形成されている。そして、支持板部３２上に支持される複数の電線１２の一部が、電線止め片３６が形成された部分で支持板部３２の他方の主面側に分岐して引き出される。この電線１２と電線止め片３６とに粘着テープ、結束ベルト等の結束部材４０が結束されることで、当該電線１２が電線止め片３６に固定される。
【００２７】
電線止め片３７は、支持板部３２の他側部に形成されている。より具体的には、支持板部３２の他側部の延在方向の一部において、その延在方向に対して直交しかつ支持板部３２の一側縁部から内側に向う一対の切込みを形成し、当該一対の切込みを形成した箇所を、支持板部３２の他方の主面側（ここでは下側）に曲げ起すことで、電線止め片３７が形成されている。ここでは、電線止め片３７は、支持板部３２の延在方向に沿って間隔をあけて形成されているが、これは必須ではない。
【００２８】
電線止め片３７の先端部は、その中間部よりも幅広に形成されている。そして、支持板部３２上に支持される複数の電線１２の一部が、電線止め片３７が形成された部分で支持板部３２の他方の主面側に分岐して引き出される。この電線１２と電線止め片３７とに粘着テープ、結束ベルト等の結束部材４０が結束されることで、当該電線１２が電線止め片３７に固定される。
【００２９】
なお、電線止め片３６、３７が設けられることは必須ではない。
【００３０】
この電線保護部材３０に対して電線１２は次のように支持される。すなわち、複数の電線１２が支持板部３２の一方主面上に配設される。複数の電線１２は、電線止め片３６、３７で分岐して引出される部分を除き、支持板部３２の延在方向に沿って並列状態で配設される。複数の電線１２の一部は、電線止め片３６、３７が設けられた部分で分岐して外方に引出される。
【００３１】
支持板部３２上に並列状態で配設された複数の電線１２は、支持板部３２と共に粘着テープ、結束バンド等の結束部材４２によって結束される。これにより、複数の電線は、支持板部３２上に広がった状態で当該支持板部３２上に支持される。
【００３２】
なお、支持板部３２の他側及び側壁部３４の縁部に形成された凹みは、結束部材４２の位置ずれを抑制するための凹みである。
【００３３】
結束部材４２は、複数の電線１２を支持板部３２の一方の主面に押え付けることができる。もっとも、その押え付け力は、支持板部３２の幅方向両側では比較的強いが、支持板部３２の幅方向中間では比較的弱い。しかも、結束部材４２は、複数の電線１２を支持板部３２の幅方向中央に寄せる力をも作用させる。このため、複数の電線が支持板部３２の幅方向中央に寄せられ、支持板部３２の幅方向中央部では、複数の電線が盛上がってしまう恐れがある。
【００３４】
そこで、支持板部３２が部分的に切り起されることで、複数の電線１２を支持板部３２の幅方向において仕切る第１仕切部５０、第２仕切部５２が設けられている。
【００３５】
より具体的には、第１仕切部５０及び第２仕切部５２は、支持板部３２の幅方向において複数箇所に設けられている。ここでは、支持板部３２を幅方向に３つに分割する位置に設けられている。より具体的には、支持板部３２をその幅方向に３分割する２つのラインを想定した場合に、その一側寄りのライン（側壁部３４に近いライン）において、間隔をあけた２箇所のそれぞれに、第１仕切部５０及び第２仕切部５２が設けられている。また、他側寄りのライン（側壁部３４から遠いライン）において、１箇所に、第１仕切部５０及び第２仕切部５２が設けられている。支持板部３２の延在方向において、一側寄りのラインの２箇所のそれぞれに設けられた第１仕切部５０及び第２仕切部５２の間に位置して、他側寄りのライン側の第１仕切部５０及び第２仕切部５２が設けられている。
【００３６】
このため、複数の電線１２は、支持板部３２の幅方向において２箇所で、第１仕切部５０及び第２仕切部５２によって一定箇所で仕切られた状態に位置決めされる。
【００３７】
なお、支持板部の幅方向においてより多数箇所で仕切部によって複数の電線が一定箇所で仕切られた状態に位置決めされていてもよい。また、支持板部の幅方向において１箇所で、仕切部によって複数の電線が一定箇所で仕切られた状態に位置決めされていてもよい。
【００３８】
また、第１仕切部５０と第２仕切部５２とは、支持板部３２の幅方向において互いに反対側から切り起され、互いに起立した状態で互いに起立状態を支える方向に当接し合うように構成されている。
【００３９】
より具体的には、第１仕切部５０は、外周の一部を残して支持板部３２の一部の外周を切断し、切残した部分を折曲げ線５０Ｌとして、支持板部３２の一方の主面側に曲げ起すことによって形成されている。折曲げ線５０Ｌは、支持板部３２の延在方向に沿った線であり、従って、第１仕切部５０が切り起された状態では、当該第１仕切部５０は、支持板部３２の延在方向に沿った姿勢で起立している。
【００４０】
また、第２仕切部５２は、外周の一部を残して支持板部３２の一部の外周を切断し、切残した部分を折曲げ線５２Ｌとして、支持板部３２の一方の主面側に曲げ起すことによって形成されている。折曲げ線５２Ｌは、支持板部３２の延在方向に沿った線であり、従って、第２仕切部５２が切り起された状態では、当該第２仕切部５２は、支持板部３２の延在方向に沿った姿勢で起立している。
【００４１】
第１仕切部５０と第２仕切部５２とは、支持板部３２の延在方向において隣の位置に形成されている。第１仕切部５０の折曲げ線５０Ｌと第２仕切部５２の折曲げ線５２Ｌとは、支持板部３２の延在方向に沿って間隔をあけて隣合っている。
【００４２】
また、第１仕切部５０は、折曲げ線５０Ｌに対して支持板部３２の一側寄りの部分（側壁部３４側の部分）の周りを切断することによって形成されており、第２仕切部５２は、折曲げ線５２Ｌに対して支持板部３２の他側寄りの部分（第１仕切部５０とは反対側の部分）の周りを切断することによって形成されている。
【００４３】
従って、第１仕切部５０は、支持板部３２の一側から曲げ起され、第２仕切部５２は、これとは反対側である支持板部３２の他側から曲げ起される。そして、第１仕切部５０及び第２仕切部５２を、支持板部３２の他の部分に対してほぼ垂直となる姿勢に曲げ起すと、第１仕切部５０及び第２仕切部５２は、ほぼ同一面に沿って配設可能な状態となる。
【００４４】
また、このように、第１仕切部５０及び第２仕切部５２を曲げ起した状態で、第１仕切部５０及び第２仕切部５２は相互に接触し合うことができる形状に形成されている。
【００４５】
ここでは、第１仕切部５０のうち第２仕切部５２に近い側の側縁部５１は、先端側に向けて外向き傾斜する形状に形成されており、これにより、第１仕切部５０の当該側縁部５１が形成された部分が、その基端部から先端部に向うに従って徐々に幅広になる形状に形成されている。
【００４６】
また、第２仕切部５２のうち第１仕切部５０に近い側の側縁部５３は、先端側に向けて外向き傾斜する形状に形成されており、これにより、第２仕切部５２の当該側縁部５３が形成された部分が、その基端部から先端部に向うに従って徐々に幅広になる形状に形成されている。これにより、第１仕切部５０と第２仕切部５２とを曲げ起した状態で、側縁部５１の先端部と側縁部５３先端部とが当接し合うようになっている。そして、側縁部５１の先端部と側縁部５３の先端部とを弾性変形させつつ、側縁部５１の先端部が支持板部３２の他側に、側縁部５３の先端部が支持板部３２の一側に配設されるようにする。すると、第１仕切部５０が元の切抜き跡に戻ろうとしても、また、第２仕切部５２が元の切抜き跡に戻ろうとしても、側縁部５１の先端部と側縁部５３の先端部とが当接し合う。これにより、第１仕切部５０と第２仕切部５２とが互いに起立状態を支える方向に当接し合うことになり、第１仕切部５０と第２仕切部５２とが起立状態に支持されることになる。
【００４７】
なお、第１仕切部５０の側縁部５１が形成された部分及び第２仕切部５２の側縁部５３が形成された部分は、必ずしも徐々に幅広になる形状に形成されている必要は無く、その先端側部分が段部を介して幅広になるように形成されていてもよい。
【００４８】
また、ここでは、第１仕切部５０と第２仕切部５２との組合わせによって、複数の電線１２を仕切った状態で一定位置に支持する構成となっているが、１つの仕切部によって、複数の電線１２を仕切った状態で一定位置に支持する構成であってもよい。
【００４９】
上記電線保護部材３０を形成する板部材としては、ある程度平板形態を維持することができ、かつ、折曲げ可能なものを用いることができる。かかる板部材としては、例えば、図６に示すように、複数の板状部分の間に中空空間が形成された中空板材６０を用いることが好ましい。かかる中空構造を有する板材であれば、軽量かつ強度的にも優れた電線保護部材３０を得ることができるからである。
【００５０】
図６に示す中空板材６０は、複数（ここでは２つ）の板状部６１ａと、複数の板状部６１ａに挟込まれた介在部６１ｂとを備える。
【００５１】
複数の板状部６１ａ及び介在部６１ｂを形成する材質は特に限定されない。複数の板状部６１ａ及び介在部６１ｂは、紙によって形成されていてもよいし、樹脂によって形成されていてもよいし、また、これらの組合わせによって構成されていてもよい。複数の板状部６１ａ及び介在部６１ｂの少なくとも１つを紙によって形成する場合には、その表面に撥水処理等を施すことが好ましい。
【００５２】
板状部６１ａは、平板状に形成されている。複数の板状部６１ａが介在部６１ｂを介して間隔をあけた状態で連結されている。
【００５３】
ここでは、複数の板状部６１ａの間に、複数の介在部６１ｂが相互間に間隔をあけた並列状態で設けられている。
【００５４】
各介在部６１ｂは、細長い板状に形成されており、両側の板状部６１ａに対して直交する姿勢で、当該板状部６１ａに対して繋がっている。
【００５５】
このため、中空板材６０を、介在部６１ｂの延在方向に対して直交する面で切断すると、一対の板状部６１ａの間に複数の介在部６１ｂが並列状に存在するはしご状断面を示す。
【００５６】
中空構造を有する板材の例は上記例に限られない。例えば、板材は、複数の板状部の間に、山部と谷部とが波状に連続する介在部が挟込まれた構成であってもよい。或は、板材は、複数の板状部の間に存在する介在部は、三角柱等の多角柱状の中空形状を形成するものであってもよく、特に、ハニカム構造を形成するものであってもよい。
【００５７】
これらの中空構造を有する板材のうち樹脂によって形成されたものは、プラスチック段ボールと呼ばれることがある。
【００５８】
電線保護部材３０を形成する板材としては、上記のような中空板材の他、不織部材をホットプレスして固めた不織シート、樹脂製の板材（中空構造ではない樹脂製の板材）、発泡構造を持つ板材、紙製の板材等を用いることもできる。
【００５９】
上記電線モジュール２０の製造方法例について説明する。
【００６０】
まず、板材を図３に示す形状に打抜き加工したものを準備し、これを折曲げる。具体的には、支持板部３２と側壁部３４との間、各電線止め片３６、３７の基端部、各第１仕切部５０及び第２仕切部５２の基端部を折曲げる。そして、第１仕切部５０及び第２仕切部５２については、上記のように、互いに起立状態を支える方向に当接し合うようにする。
【００６１】
この状態で、複数の電線１２を支持板部３２の延在方向に沿って配設しつつ、その一部を電線止め片３６、３７が形成された部分で外方に引出す。複数の電線１２を支持板部３２の延在方向に沿って配設する際、複数の電線１２がなるべく第１仕切部５０及び第２仕切部５２によって、なるべく均等に分割されるようにする。なお、第１仕切部５０及び第２仕切部５２が、支持板部３２をその幅方向に均等に分割する位置に形成されていない場合には、第１仕切部５０及び第２仕切部５２によって仕切られる幅に応じて、複数の電線１２がなるべく均等な密度で分散されるように分割する。
【００６２】
そして、支持板部３２と当該支持板部３２上に支持された複数の電線１２とを結束部材４２によって結束する。この際、複数の電線１２は、第１仕切部５０及び第２仕切部５２によって支持板部３２の幅方向において仕切られて一定位置に支持された状態となっている。このため、複数の電線１２が、支持板部３２の幅方向中央に寄せられるような事態は生じ難く、従って、複数の電線１２は支持板部３２上でなるべく偏平となるように支持される。
【００６３】
また、各電線止め片３６、３７と、電線１２とを結束部材４０によって結束する。これにより、分岐して外部に延出する電線１２が電線保護部材３０に対して一定位置で支持された状態となる。これにより、電線モジュール２０が製造される。
【００６４】
製造された電線モジュール２０は、車両に組付けられる。組付対象としては、例えば、車両における運転席前方にあるリーンホース１００等が想定される。電線モジュール２０は、リーンホース１００に対しては、両面テープ、結束バンド、車両固定用のクランプ等を介して固定される。もっとも、電線モジュール２０の組付対象箇所は、上記例に限られない。
【００６５】
以上のように構成された電線モジュール２０、電線保護部材３０によると、第１仕切部５０、第２仕切部５２によって、複数の電線１２を支持板部３２の幅方向において仕切った状態で、支持板部３２上で複数の電線１２を支持することができる。このため、複数の電線１２は、第１仕切部５０及び第２仕切部５２によって支持板部３２の幅方向において一定位置に位置規制されるため、複数の電線１２を支持板部３２上でなるべく偏平な状態で支持することができる。結果、複数の電線１２をなるべく偏平な形態に収めて、車両における配線スペース等に組込むことができる。
【００６６】
また、第１仕切部５０及び第２仕切部５２は、支持板部３２を切り起して形成しているため、複数の電線を仕切るための構成を簡易に形成することができる。なお、仕切部は、支持板部の端部に形成されていてもよい。また、第１仕切部５０及び第２仕切部５２は、支持板部３２を切り起すことによって形成されているため、板材から電線保護部材３０を形成する際の歩留りもよくなる。
【００６７】
また、複数の電線１２は、支持板部３２の幅方向において複数箇所で支持板部３２の幅方向において一定位置に位置規制されるため、複数の電線１２を支持板部３２上でより偏平な状態で支持できる。
【００６８】
また、第１仕切部５０及び第２仕切部５２は、支持板部３２の幅方向において互いに反対側から切り起され、互いに起立した状態で互いに起立状態を支える方向に当接し合う。このため、切り起された第１仕切部５０及び第２仕切部５２が支持板部３２に対して互いに起立した状態に維持され、複数の電線１２を、第１仕切部５０及び第２仕切部５２で仕切りつつ、容易に支持板部３２上に配設することができる。
【００６９】
しかも、第１仕切部５０及び第２仕切部５２は、互いに起立した状態でそれぞれの先端部で幅広となる側縁部５１、５３の先端部同士が当接し合っている。このため、第１仕切部５０及び第２仕切部５２の切抜き面積をなるべく小さくしてそれらの支持強度をなるべく高めつつ、第１仕切部５０及び第２仕切部５２を互いに当接させて起立状態に維持することができる。
【００７０】
なお、上記実施形態及び各変形例で説明した各構成は、相互に矛盾しない限り適宜組合わせることができる。
【００７１】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７２】
１２    電線
２０    電線モジュール
３０    電線保護部材
３２    支持板部
４０    結束部材
５０    第１仕切部
５０Ｌ  折曲げ線
５１    側縁部
５２    第２仕切部
５２Ｌ  折曲げ線
５３    側縁部
６０    中空板材
【図１】
0006323399.tif 000002
【図２】
0006323399.tif 000003
【図３】
0006323399.tif 000004
【図４】
0006323399.tif 000005
【図５】
0006323399.tif 000006
【図６】
0006323399.tif 000007